(57)【特許請求の範囲】
【請求項１】
好ましいノードの信頼できる、そしてパワー効率の良い発見のための方法であって、
以下の動作をインプリメントするために、コンピュータ可読記憶媒体上に記憶されるコンピュータ実行可能命令を実行するプロセッサを使用することと；
サービングノードによって送信される無線チャネルの信号品質を測定することと；
前記信号品質がしきい値より上にあることを決定することと、なお前記しきい値より下にあることは、近隣ノードに対するセル再選択を準備する必要性を示す；
近隣ノードについての測定を定期的に実行することと；
前記しきい値より上にある前記信号品質に応じて近隣ノードについての前記測定よりもゆっくりした反復レートで好ましいノードについての測定を定期的に実行することと；
を備える方法。
【請求項２】
前記信号品質が、そうでなければ周波数内探索をトリガすることになる前記しきい値より上の良好なチャネルを示すことを決定すること、をさらに備える請求項１に記載の方法。
【請求項３】
前記信号品質が、そうでなければ周波数間探索をトリガすることになる前記しきい値より上の適正なチャネルを示すことを決定すること、をさらに備える請求項１に記載の方法。
【請求項４】
好ましい閉ざされた加入ノードについての測定を実行すること、をさらに備える請求項１に記載の方法。
【請求項５】
フェムトセルについての測定を実行すること、をさらに備える請求項１に記載の方法。
【請求項６】
ホームベースノードについての測定を実行すること、をさらに備える請求項５に記載の方法。
【請求項７】
ユーザ装置が好ましいノードをあらかじめ定義している決定に応じて前記好ましいノードについての前記のよりゆっくりしたレートの反復測定を可能にすること、をさらに備える請求項１に記載の方法。
【請求項８】
各不連続受信（ＤＲＸ）サイクル中に前記サービングノードからの送信のための同期化および測定を実行することと、
前記不連続受信（ＤＲＸ）サイクルの倍数で、よりゆっくりした反復レートを実行することと、
をさらに備える請求項１に記載の方法。
【請求項９】
モバイルデバイスのロケーションを示す情報にアクセスすることと、
前記好ましいノードに対する近接性を決定することと、
カバレージエリアしきい値よりも近くにある前記近接性に応じて前記好ましいノードについての、よりゆっくりした反復レート測定を可能にすることと、
をさらに備える請求項１に記載の方法。
【請求項１０】
測位システムに基づいてロケーションを決定することと、
前記好ましいノードについての地理的ロケーションにアクセスすることと、
をさらに備える請求項９に記載の方法。
【請求項１１】
マクロベースノードのカバレージエリアに最も近いとして前記好ましいノードのロケーションを関連づけること、をさらに備える請求項９に記載の方法。
【請求項１２】
前記好ましいノードにブロードキャストビーコンを関連づけることと、
前記ブロードキャストビーコンを検出することに応じて前記のよりゆっくりした反復レートで前記好ましいノードについての定期的測定を開始することと、
をさらに備える請求項９に記載の方法。
【請求項１３】
近隣ノードを識別するノードからブロードキャスト情報を受信すること、をさらに備える請求項１に記載の方法。
【請求項１４】
前記好ましいノードから自己識別するブロードキャスト情報を受信すること、をさらに備える請求項１に記載の方法。
【請求項１５】
ノードからの同期化信号を復調するための、ブロードキャストによるスクランブリングコードを受信することと、
前記スクランブリングコードを使用して前記好ましいノードについての測定を定期的に実行することと、
をさらに備える請求項１に記載の方法。
【請求項１６】
サービングノードからそれぞれの近隣ノードについての複数のスクランブリングコードを受信すること、
をさらに備える請求項１５に記載の方法。
【請求項１７】
前記スクランブリングコードを使用して送信する非サービングの好ましいノードから前記スクランブリングコードを受信すること、
をさらに備える請求項１５に記載の方法。
【請求項１８】
前記好ましいノードにキャンプすることに応じて近隣ノードについての前記測定よりも前記ゆっくりした反復レートで前記好ましいノードについての測定を定期的に実行することを中断すること、
をさらに備える請求項１に記載の方法。
【請求項１９】
好ましいノードの信頼できる、そしてパワー効率の良い発見のためのコンピュータプログラムであって、
少なくとも１つのプロセッサによって実行されるときに、
コンピュータに、サービングノードによって送信される無線チャネルの信号品質を測定するようにさせるための第１の組の命令と；
前記コンピュータに、前記信号品質が、しきい値より上にあることを決定するようにさせるための第２の組の命令と、なお前記しきい値より下にあることは、近隣ノードに対するセル再選択を準備する必要性を示す；
前記コンピュータに、近隣ノードについての測定を定期的に実行するようにさせるための第３の組の命令と；
前記コンピュータに、前記しきい値より上にある前記信号品質に応じて近隣ノードについての前記測定よりもゆっくりした反復レートで好ましいノードについての測定を定期的に実行するようにさせるための第４の組の命令と；
を備えるコンピュータプログラム。
【請求項２０】
好ましいノードの信頼できる、そしてパワー効率の良い発見のための装置であって、
少なくとも１つのプロセッサと、
前記少なくとも１つのプロセッサによって実行されるときに、
サービングノードによって送信される無線チャネルの信号品質を測定するための手段と；
前記信号品質が、しきい値より上にあることを決定するための手段と、なお前記しきい値より下にあることは、近隣ノードに対するコール再選択を準備する必要性を示す；
近隣ノードについての測定を定期的に実行するための手段と；
前記しきい値より上にある前記信号品質に応じて近隣ノードについての前記測定よりもゆっくりした反復レートで好ましいノードについての測定を定期的に実行するための手段と；
を備えるコンポーネントをインプリメントするコンピュータ実行可能命令を記憶する少なくとも１つのコンピュータ可読記憶媒体と、
を備える装置。
【請求項２１】
好ましいノードの信頼できる、そしてパワー効率の良い発見のための装置であって、
サービングノードによって送信される無線チャネルの信号品質を測定するためのレシーバと、
前記信号品質がしきい値より上にあることを決定することと、なお前記しきい値より下にあることは、近隣ノードに対するセル再選択を準備する必要性を示す；
前記レシーバに、近隣ノードについての測定を定期的に実行するようにさせることと；
前記レシーバに、前記しきい値より上にある前記信号品質に応じて近隣ノードについての前記測定よりもゆっくりした反復レートで好ましいノードについての測定を定期的に実行するようにさせることと；
のためのコンピューティングプラットフォームと、
を備える装置。
【請求項２２】
前記コンピューティングプラットフォームは、さらに、前記信号品質が、そうでなければ周波数内探索をトリガすることになる前記しきい値より上の良好なチャネルを示すことを決定することのためである、請求項２１に記載の装置。
【請求項２３】
前記コンピューティングプラットフォームは、さらに、前記信号品質が、そうでなければ周波数間探索をトリガすることになる前記しきい値より上の適正なチャネルを示すことを決定することのためである、請求項２１に記載の装置。
【請求項２４】
前記レシーバは、さらに、好ましい閉ざされた加入ノードについての測定を実行することのためである、請求項２１に記載の装置。
【請求項２５】
前記レシーバは、さらに、フェムトセルについての測定を実行することのためである、請求項２１に記載の装置。
【請求項２６】
前記レシーバは、さらに、ホームベースノードについての測定を実行することのためである、請求項２５に記載の装置。
【請求項２７】
前記コンピューティングプラットフォームは、さらに、ユーザ装置が好ましいノードをあらかじめ定義している決定に応じて前記好ましいノードについての前記のよりゆっくりしたレートの反復測定を可能にすることのためである、請求項２１に記載の装置。
【請求項２８】
前記コンピューティングプラットフォームは、さらに、各不連続受信（ＤＲＸ）サイクル中に前記サービングノードからの送信のための同期化および測定を実行することのためであり、そして前記不連続受信（ＤＲＸ）サイクルの倍数でのよりゆっくりした反復レートを実行することのためである、請求項２１に記載の装置。
【請求項２９】
前記コンピューティングプラットフォームは、さらに、モバイルデバイスのロケーションを示す情報にアクセスすることのためであり、前記好ましいノードに対する近接性を決定することのためであり、そしてカバレージエリアしきい値よりも近い前記近接性に応じて前記好ましいノードについてのよりゆっくりした反復レートの測定を可能にすることのためである、請求項２１に記載の装置。
【請求項３０】
前記コンピューティングプラットフォームは、さらに、測位システムに基づいてロケーションを決定することのためであり、そして前記好ましいノードについての地理的ロケーションにアクセスすることのためである、請求項２９に記載の装置。
【請求項３１】
前記コンピューティングプラットフォームは、さらに、マクロベースノードのカバレージエリアに最も近いとして前記好ましいノードのロケーションを関連づけることのためである、請求項２９に記載の装置。
【請求項３２】
前記コンピューティングプラットフォームは、さらに、ブロードキャストビーコンを前記好ましいノードに関連づけることのためであり、そして前記ブロードキャストビーコンを検出する前記レシーバに応じて前記のよりゆっくりした反復レートで前記好ましいノードについての定期的測定を開始することのためである、請求項２９に記載の装置。
【請求項３３】
前記レシーバは、さらに、近隣ノードを識別するノードからブロードキャスト情報を受信することのためである、請求項２１に記載の装置。
【請求項３４】
前記レシーバは、さらに、前記好ましいノードから自己識別するブロードキャスト情報を受信することのためである、請求項２１に記載の装置。
【請求項３５】
前記レシーバは、さらに、ノードから同期化信号を復調するための、ブロードキャストによるスクランブリングコードを受信することのためであり、そして前記スクランブリングコードを使用して前記好ましいノードについての測定を定期的に実行することのためである、請求項２１に記載の装置。
【請求項３６】
前記レシーバは、さらに、サービングノードからそれぞれの近隣ノードについての複数のスクランブリングコードを受信することのためである、請求項３５に記載の装置。
【請求項３７】
前記レシーバは、さらに、前記スクランブリングコードを使用して送信する非サービングの好ましいノードから前記スクランブリングコードを受信することのためである、請求項３５に記載の装置。
【請求項３８】
前記コンピューティングプラットフォームは、さらに、前記好ましいノードにキャンプすることに応じて近隣ノードについての前記測定よりも前記ゆっくりした反復レートで前記好ましいノードについての測定を定期的に実行することを中断することのためである、請求項２１に記載の装置。
【請求項３９】
好ましいノードの信頼できる、そしてパワー効率の良い発見を容易にするための方法であって、
以下の動作：
無線データパケット通信を送信することと、受信することとにより、モバイルデバイスをサービングノードとしてサーブすることと、
前記モバイルデバイスに対して前記好ましいノードによって使用されるスクランブリングコードをブロードキャストすることにより、好ましいノードの前記モバイルデバイスによる発見を容易にすることと、
をインプリメントする、コンピュータ可読記憶媒体上に記憶されるコンピュータ実行可能命令を実行するプロセッサを使用すること、
を備え、前記モバイルデバイスは、前記しきい値より上にある前記信号品質に応じて近隣ノードについての前記測定よりもゆっくりした反復レートで好ましいノードについての測定を定期的に実行する、方法。
【請求項４０】
カバレージエリア内のノードについての近隣リストを保持することと、ここにおいて、前記好ましいノードは、前記ノードのうちの１つである；
前記カバレージエリア内の前記ノードについてのスクランブリングコードをブロードキャストすることと；
をさらに備える請求項３９に記載の方法。
【請求項４１】
前記モバイルデバイスによる発見を容易にするための前記好ましいノードによる前記スクランブリングコードをブロードキャストすること、をさらに備える請求項３９に記載の方法。
【請求項４２】
前記サービングノードと近隣ノードとからの送信のための同期化および測定を実行するために、そして前記しきい値より上にある前記信号品質に応じて近隣ノードについての前記測定よりもゆっくりした反復レートで前記好ましいノードについての測定を定期的に実行するために、不連続受信（ＤＲＸ）サイクルにわたってサーブされたモバイルデバイスをスケジュールすること、をさらに備える請求項３９に記載の方法。
【請求項４３】
前記モバイルデバイスが、前記のよりゆっくりした反復レートで前記好ましいノードについての測定を選択的に実行することを可能にする、ロケーションに関連した情報を送信すること、をさらに備える請求項３９に記載の方法。
【請求項４４】
好ましいノードの信頼できる、そしてパワー効率の良い発見を容易にするためのコンピュータプログラムであって、
少なくとも１つのプロセッサによって実行されるときに、
コンピュータに、無線データパケット通信を送信することと、受信することとによりモバイルデバイスをサービングノードとしてサーブするようにさせるための第１の組の命令と、
前記コンピュータに、前記モバイルデバイスに対して前記好ましいノードによって使用されるスクランブリングコードをブロードキャストすることにより好ましいノードの前記モバイルデバイスによる発見を容易にするようにさせるための第２の組の命令と、
を備え、前記モバイルデバイスは、前記しきい値より上にある前記信号品質に応じて近隣ノードについての前記測定よりもゆっくりした反復レートで好ましいノードについての測定を定期的に実行する、コンピュータプログラム。
【請求項４５】
好ましいノードの信頼できる、そしてパワー効率の良い発見を容易にするための装置であって、
少なくとも１つのプロセッサによって実行されるときに、
無線データパケット通信を送信することと、受信することとによりモバイルデバイスをサービングノードとしてサーブするための手段と、
前記モバイルデバイスに対して前記好ましいノードによって使用されるスクランブリングコードをブロードキャストすることにより好ましいノードの前記モバイルデバイスによる発見を容易にするための手段と、
を備えるコンポーネントをインプリメントするコンピュータ実行可能命令を記憶する少なくとも１つのコンピュータ可読記憶媒体と、
を備え、前記モバイルデバイスは、前記しきい値より上にある前記信号品質に応じて近隣ノードについての前記測定よりもゆっくりした反復レートで好ましいノードについての測定を定期的に実行する、装置。
【請求項４６】
好ましいノードの信頼できる、そしてパワー効率の良い発見を容易にするための装置であって、
サービングノードとしてモバイルデバイスから無線データパケット通信サービスを受信するためのレシーバと、
好ましいノードによって使用されるスクランブリングコードにアクセスするためのコンピューティングプラットフォームと、
好ましいノードの前記モバイルデバイスによる発見を容易にする前記スクランブリングコードを前記モバイルデバイスに対してブロードキャストするためのトランスミッタと、
を備え、前記モバイルデバイスは、前記しきい値より上にある前記信号品質に応じて近隣ノードについての前記測定よりもゆっくりした反復レートで好ましいノードについての測定を定期的に実行する、装置。
【請求項４７】
前記コンピューティングプラットフォームは、さらに、カバレージエリア内のノードについての近隣リストを保持することのためであり、前記好ましいノードは、前記ノードのうちの１つであり、そして
前記トランスミッタは、さらに、前記カバレージエリア内の前記ノードについてのスクランブリングコードをブロードキャストすることのためである、請求項４６に記載の装置。
【請求項４８】
前記トランスミッタは、さらに、前記モバイルデバイスによる発見を容易にするための、前記好ましいノードによる前記スクランブリングコードをブロードキャストすることのためである、請求項４６に記載の装置。
【請求項４９】
前記コンピューティングプラットフォームは、さらに、前記サービングノードと近隣ノードとからの送信のための同期化および測定を実行するために、そして前記しきい値より上にある前記信号品質に応じて近隣ノードについての前記測定よりもゆっくりした反復レートで前記好ましいノードについての測定を定期的に実行するために、不連続受信（ＤＲＸ）サイクルにわたってサーブされたモバイルデバイスをスケジュールすることのためである、請求項４６に記載の装置。
【請求項５０】
前記トランスミッタは、さらに、前記モバイルデバイスが、前記のよりゆっくりした反復レートで前記好ましいノードについての測定を選択的に実行することを可能にする、ロケーションに関連した情報を送信することのためである、請求項４６に記載の装置。
【発明の詳細な説明】
【発明の分野】
【０００１】
［３５Ｕ．Ｓ．Ｃ．§１１９の下の優先権の主張］
本願は、その開示がこれによりここにおいて参照によって組み込まれている、２００８年８月５日に出願され、そしてアトーニィドケット番号０８２２９０Ｐ１を割り当てられた「ネットワーク内の好ましいアクセスポイント基地局の探索を可能とするシステムおよび方法(SYSTEM AND METHOD TO ENABLE SEARCHES FOR PREFERRED ACCESS POINT BASE STATIONS WITHIN A NETWORK)」という名称の共同所有された米国仮特許出願第６１／０８６，４２１号の利益と優先権とを主張するものである。
【０００２】
［特許のための同時係属出願の参照］
特許のための本願は、２００９年３月２３日に出願され、この譲受人に譲渡され、そしてここにおいて参照によって明示的に組み込まれている、アトーニィドケット番号０８１２６３を有する、バラサブラマニアン(Balasubramanian)他による、「パワー効率の良い小型基地局のスキャンおよび獲得(POWER EFFICIENT SMALL BASE STATION SCANNING AND ACQUISITION)」という名称の同時係属の米国特許出願第１２／４０９，３６８号に関連している。
【０００３】
ここにおいて説明される例示の非限定的な態様は、一般に無線通信のシステム、方法、コンピュータプログラムプロダクト(computer program products)、およびデバイスに関し、そしてより詳細には、フェムトセルなど、限られた範囲の、限られたアクセスの基地局を発見するための、パワー効率の良い技法およびコンポーネントのための技法に関する。
【背景技術】
【０００４】
典型的な無線アクセスセルラーネットワークは、様々な無線送信デバイス、または基地局を経由して動作する。これらの基地局は、セルラーサービスプロバイダのコアネットワークに対して、セルラー電話などの無線モバイルデバイスに対する無線アクセスを提供する。基地局は、様々なデータの経路指定および制御のメカニズム（例えば、基地局コントローラ、コアルータおよびエッジルータなど）と一緒に、モバイルデバイスのためのリモート通信を容易にする。通信サービスプロバイダが、基地局カバレージを拡張するにつれて、より大きな地域が、無線アクセスネットワークによってカバーされることができる。しかしながら、いくつかのエリアは、人口、高いモバイルトラフィック、他のトランスミッタとの干渉、基地局送信を吸収する材料（例えば、密集した、コンクリートおよび鋼鉄のビルディング、地下施設など）など、様々な理由のために信頼性のある無線カバレージを提供することが難しい可能性がある。
【０００５】
屋内のセルラー受信は、とりわけ、特にかなりのパイロット信号雑音汚染を受ける高層階においては、高い干渉などの問題を有する。いくつかの会場は、小面積（例えば、ショッピングモール、空港ターミナル）内に人々についての高い収容定員を有する。これらの高密度通信の会場は、それ故に、使用可能な容量をひずませる。干渉を管理するだけでなく近隣リストとコール再選択プロシージャ(call reselection procedures)とに関連しても、屋外のセルとの屋内のセルのシームレスな一体化を提供することは、難しい可能性がある。
【０００６】
無線アクセスが難しいエリアに対してモバイル通信サポートを提供する１つのソリューションは、「パーソナル」基地局、またはフェムト基地局(femto Base Station)（ＢＳ）（例えば、ホームノードＢ(home Node B)またはフェムトセル(Femtocell)とも称される）である。ＢＳは、ライセンスされたセルラー無線帯域上での無線通信を（無線ローカルエリアネットワークルータによって利用されるライセンスされていない帯域とは対照的に）容易にする（ノードＢなど、標準的な無線ネットワーク基地局と比べて）比較的小さな範囲のデバイスとすることができる。例示の一態様においては、ＢＳは、カバレージエリア内のユーザ装置（例えば、セルラーデバイス、移動局、アクセス端末、ハンドセットなど）の大きなカバレージエリアと量とをサーブする(serve)任意のサイズのものとすることができる。ＢＳは、ノードＢ基地局と同様にして、そのような無線帯域上でセルラーデバイスとの無線リンクを維持することができる。その結果として、ＢＳは、無線アクセス基地局から良い信号を受信しないエリアについての小さな範囲のセルラーカバレージを提供することができる。しばしば、個々の消費者は、個人的なセルラークセスのために、彼らの家、アパートの建物、オフィスビルディングなどの中でＢＳを利用する可能性がある。現在配備されるモバイル電話ネットワークに加えて、新しいクラスの小型基地局が、出現しており、これらの小型基地局は、ユーザの家にインストールされ、そして既存のブロードバンドインターネット接続を使用してモバイルユニットに対する屋内の無線カバレージを提供することができる。そのような個人的なミニチュア基地局は、一般に、アクセスポイント基地局として、あるいは代わりにホームノードＢ（ＨＮＢ）またはフェムトセルとして知られている。一般的に、そのようなミニチュア基地局は、ＤＳＬルータ、ＩＰ通信またはケーブルモデルを経由してインターネットとモバイルオペレータのネットワークとに接続される。
【０００７】
従来、フェムトセルが、課金の利点、またはマクロキャパシティオフロード(macro capacity off-load)の理由のために、好まれる展開モデルでは、ユーザ装置(user equipment)（ＵＥ）が、そのカバレージエリア内にあるときにそれ自体のフェムトセルを発見し、そしてそれにキャンプする(camps on)ことが、多くの場合に望ましい。より一般には、ＵＥは、様々な考察に基づいた、ノードについての好みを有することができる。例えば、サービスプロバイダは、サービス、追加サービスなどのよりよい品質を提供することができる。したがって、好ましいノードは、マクロ基地局、フェムトセルとすることができる。
【０００８】
例示として、標準的な非−ＨＣＳ（階層的セル構造）セル再選択ルールを使用した従来のアプローチを考察する。定期的に近隣探索が、サービングノードの信号品質に応じて、すべてのサーブされたモバイルデバイスまたはＵＥによって、実行される。例えば、現在のセルの信号強度が、ある種のしきい値、例えば、周波数内探索(intra-frequency search)をトリガするしきい値ＳＩＮＴＲＡＳＥＡＲＣＨを下回り、そして周波数間探索(inter-frequency search)をトリガする低い方のしきい値ＳＩＮＴＥＲＳＥＡＲＣＨを上回るときだけに、近隣リスト探索は、トリガされる。強いマクロセルの真ん中に展開されるフェムトセルまたはホームノードＢ（ＨＮＢ）は、特にＨＮＢが、モバイルデバイスまたはユーザ装置（ＵＥ）がキャンプしているマクロキャリア周波数とは異なるキャリア周波数上に展開されるときには、決して探索されず、そして見出されないであろう。したがって、従来のアプローチは、好ましいノードを信頼できるように発見することと、そのノードにキャンプすることとを提供することはない。
【０００９】
別の知られているアプローチは、ＨＮＢを見出すことをより可能性の高いものにするためにＨＣＳ（階層的セル構造）セル再選択ルールを使用すること、すべてのサーブされたモバイルデバイスまたはＵＥに、すべてのチャネル状態で、そしてすべてのロケーションで、高優先順位の基地局を探索するように、そして測定するように強制すること、である。類似した結果は、非−ＨＣＳ探索しきい値を高めることにより、ほぼ連続的な探索をもたらして、達成されることができる。そのような連続的な探索をすることは、スタンバイ時間にかなりの影響を及ぼす可能性があり、現在のサービングノードに対する使用可能性を低減させ、そして電力消費を増大させる。さらに、サーブされたモバイルデバイスまたはＵＥのうちの、ほとんどではないにしても多くは、好ましいノードを持たない可能性があり、それ故に、増大された電力消費についての利点を受けることはない。
【発明の概要】
【００１０】
以下は、開示された態様のうちのいくつかの態様についての基本的な理解を提供するために、簡略化された概要を提示するものである。この概要は、広範囲に及ぶ概説ではなく、そして重要な、または不可欠な要素を識別するようにも、そのような態様の範囲を示すようにも意図されてはいない。その目的は、後で提示されるより詳細な説明の前置きとして、簡略化された形式で説明された特徴のいくつかの概念を提示することである。
【００１１】
一態様においては、以下の動作をインプリメントする、コンピュータ可読記憶媒体上に記憶されるコンピュータ実行可能命令を実行するためにプロセッサを使用する好ましいノードの信頼できる、そしてパワー効率の良い発見のための一方法が提供される：サービングノードによって送信される無線チャネルの信号品質が、測定される。信号品質は、しきい値の上にあるように決定され、そこで、しきい値の下にあることは、近隣ノードに対するセル再選択を準備する必要性を示す。測定は、近隣ノードについて定期的に実行される。測定は、しきい値より上にある信号品質に応じて近隣ノードについての測定よりもゆっくりした反復レートで好ましいノードについて実行される。
【００１２】
別の態様においては、好ましいノードの信頼できる発見と、信頼できるパワー効率の良い発見のためのコンピュータプログラムプロダクトが提供される。特に、少なくとも１つのコンピュータ可読記憶媒体が、少なくとも１つのプロセッサによって実行されるときに、下記を含むコンポーネントをインプリメントするコンピュータ実行可能命令を記憶する：第１の組の命令は、コンピュータに、サービングノードによって送信される無線チャネルの信号品質を測定するようにさせる。第２の組の命令は、コンピュータに、信号品質が、しきい値より上にあることを決定するようにさせ、そこで、しきい値より下にあることは、近隣ノードに対するセル再選択を準備する必要性を示す。第３の組の命令は、コンピュータに、近隣ノードについての測定を定期的に実行するようにさせる。第４の組の命令は、コンピュータに、しきい値より上にある信号品質に応じて、近隣ノードについての測定よりもゆっくりした反復レートで好ましいノードについての測定を定期的に実行するようにさせる。
【００１３】
追加の態様においては、好ましいノードの信頼できる、そしてパワー効率の良い発見のための装置が、提供される。少なくとも１つのコンピュータ可読記憶媒体は、少なくとも１つのプロセッサによって実行されるときに、下記を含むコンポーネントをインプリメントするコンピュータ実行可能命令を記憶する：サービングノードによって送信される無線チャネルの信号品質を測定するための手段が提供される。信号品質が、しきい値より上にあることを決定するための手段が、提供され、そこで、しきい値より下にあることは、近隣ノードに対するセル再選択を準備する必要性を示す。近隣ノードについての測定を定期的に実行するための手段が提供される。しきい値より上にある信号品質に応じて近隣ノードについての測定よりもゆっくりした反復レートで好ましいノードについての測定を定期的に実行するための手段が提供される。
【００１４】
さらなる一態様においては、好ましいノードの信頼できる、そしてパワー効率の良い発見のための装置が提供される。レシーバは、サービングノードによって送信される無線チャネルの信号品質を測定する。コンピューティングプラットフォームは、信号品質がしきい値よりも上にあることを決定し、そこでは、しきい値より下にあることは、近隣ノードに対するセル再選択を準備する必要性を示しており、レシーバに、近隣ノードについての測定を定期的に実行するようにさせ、そしてレシーバに、しきい値より上にある信号品質に応じて、近隣ノードについての測定よりもゆっくりした反復レートで好ましいノードについての測定を定期的に実行するようにさせる。
【００１５】
さらなる一態様においては、以下の動作をインプリメントする、コンピュータ可読記憶媒体上に記憶されたコンピュータ実行可能命令を実行するプロセッサを使用することにより好ましいノードの信頼できる、そしてパワー効率の良い発見のための方法が提供される：モバイルデバイスが、無線データパケット通信を送信することと、受信することとによってサービングノードとしてサーブされる。発見が、好ましいノードによって使用されるスクランブリングコード(scrambling code)をモバイルデバイスに対してブロードキャストすることにより、好ましいノードのモバイルデバイスによって容易にされ、そこで、モバイルデバイスは、しきい値より上にある信号品質に応じて近隣ノードについての測定よりもゆっくりした反復レートで好ましいノードについての測定を定期的に実行する。
【００１６】
さらに別の態様においては、好ましいノードの信頼できる、そしてパワー効率の良い発見を容易にするためのコンピュータプログラムプロダクトが提供される。特に、少なくとも１つのコンピュータ可読記憶媒体は、少なくとも１つのプロセッサによって実行されるときに、下記を含むコンポーネントをインプリメントするコンピュータ実行可能命令を記憶する：第１の組の命令は、コンピュータに、無線データパケット通信を送信することと、受信することとによってサービングノードとしてモバイルデバイスをサーブするようにさせる。第２の組の命令は、コンピュータに、好ましいノードによって使用されるスクランブリングコードをモバイルデバイスに対してブロードキャストすることにより好ましいノードのモバイルデバイスによる発見を容易にするようにさせ、そこで、モバイルデバイスは、しきい値より上にある信号品質に応じて近隣ノードについての測定よりもゆっくりした反復レートで好ましいノードについての測定を定期的に実行する。
【００１７】
さらなる追加の態様においては、好ましいノードの信頼できる、そしてパワー効率の良い発見を容易にするための装置が提供される。少なくとも１つのコンピュータ可読記憶媒体は、少なくとも１つのプロセッサによって実行されるときに、下記を含むコンポーネントをインプリメントするコンピュータ実行可能命令を記憶する：無線データパケット通信を送信することと、受信することとによってサービングノードとしてモバイルデバイスをサーブするための手段が提供される。好ましいノードによって使用されるスクランブリングコードをモバイルデバイスに対してブロードキャストすることによって好ましいノードのモバイルデバイスによる発見を容易にするための手段が提供され、そこで、モバイルデバイスは、しきい値より上にある信号品質に応じて近隣ノードについての測定よりもゆっくりした反復レートで好ましいノードについての測定を定期的に実行する。
【００１８】
さらに他の態様においては、好ましいノードの信頼できる、そしてパワー効率の良い発見を容易にするための装置が提供される。レシーバは、サービングノードとしてのモバイルデバイスから無線データパケット通信サービスを受信する。コンピューティングプラットフォームは、好ましいノードによって使用されるスクランブリングコードにアクセスする。トランスミッタは、好ましいノードのモバイルデバイスによる発見を容易にするスクランブリングコードをモバイルデバイスに対してブロードキャストし、そこで、モバイルデバイスは、しきい値より上にある信号品質に応じて近隣ノードについての測定よりもゆっくりした反復レートで好ましいノードについての測定を定期的に実行する。
【００１９】
上記の目的および関連した目的の達成のために、１つまたは複数の態様は、下記において十分に説明され、そして特許請求の範囲において特に指摘される特徴を備える。以下の説明および添付の図面は、ある種の例示の態様を詳細に説明しているが、態様の原理が使用されることができる様々なやり方のうちの少しだけを示すにすぎない。他の利点および新規特徴は、図面と併せて考察されるときに以下の詳細な説明から明らかになり、そして開示された態様は、すべてのそのような態様とそれらの同等物とを含むように意図される。
【図面の簡単な説明】
【００２０】
【図１】図１は、モバイルデバイスが、バックグラウンド探索(background search)において好ましいノードを選択的に探索することを可能にする通信システムのブロック図を示している。
【図２Ａ】図２Ａは、好ましいノードの信頼できる、そしてパワー効率の良い発見のための方法またはオペレーションのシーケンスについての流れ図を示している。
【図２Ｂ】図２Ｂは、好ましいノードの信頼できる、そしてパワー効率の良い発見のための方法またはオペレーションのシーケンスについての流れ図を示している。
【図３】図３は、好ましいノードの信頼できる、そしてパワー効率の良い発見を容易にするための方法またはオペレーションのシーケンスについての流れ図を示している。
【図４】図４は、階層的セル構造（ＨＣＳ）をインプリメントするバックグラウンド探索を用いた、好ましいノードのパワー効率の良い発見のための方法を示す、グラフのプロットを示している。
【図５】図５は、ホームベースノードまたは好ましいノードの発見のためにかかる時間の累積分布関数(cumulative distribution function)（ＣＤＦ）のグラフのプロットを示している。
【図６】図６は、フォアグラウンド探索とバックグラウンド探索とについての電流消費のバーグラフ(bar graph)を示している。
【図７】図７は、近隣ノードと好ましいノードとの発見のための例示の無線通信システムのブロック図を示している。
【図８】図８は、モバイルデバイスが、ネットワーク環境内のベースノードにアクセスすることを可能にする例示の通信システムのブロック図を示している。
【図９】図９は、マクロベースノードおよびフェムトベースノードとインターフェースすることができるモバイルデバイスのブロック図を示している。
【図１０】図１０は、フェムトセルを経由してセルラーネットワークとモバイルデバイスをインターフェースさせることができるシステムのブロック図を示している。
【図１１】図１１は、好ましいノードの信頼できる発見と、信頼できる、そしてパワー効率の良い発見とのための電気コンポーネントの論理的グループ分けから成る、モバイルユーザ装置などのシステムのブロック図を示している。
【図１２】図１２は、好ましいノードの信頼できる、そしてパワー効率の良い発見のための電気コンポーネントの論理的グループ分けから成る、ベースノードなどのシステムのブロック図を示している。
【図１３】図１３は、好ましいノードの信頼できる、そしてパワー効率の良い発見のための手段を有する装置のブロック図を示している。
【図１４】図１４は、好ましいノードの信頼できる、そしてパワー効率の良い発見を容易にするための手段を有する装置のブロック図を示している。
【詳細な説明】
【００２１】
本開示の特徴、性質、および利点は、図面と併せて解釈されるときに以下で説明される詳細な説明からもっと明らかになり、図面の中で、同様な参照キャラクタは、それら全体を通して対応するように識別している。
【００２２】
１つまたは複数の態様と、それの対応する開示とに従って、様々な態様が、良いチャネル状態においてさえ、好ましいノード（例えば、フェムトセル、ホームベースノード(home base node)（ＨＢＮ））のタイムリーな発見を保証するモバイルデバイス、アクセス端末、またはユーザ装置（ＵＥ）による近隣リスト探索に関連して説明され、そのモバイルデバイスは、好ましいノードを探すために、ただし、通常の周波数内および周波数間の近隣セルの探索よりもゆっくりしたレートで近隣セルの探索を実行する。良いチャネル状態においてさえ好ましいノード（例えば、フェムトセル）を探索する判断基準は、たとえ好ましいノードが、現在キャンプされている周波数と異なるキャリア周波数上で展開されるとしても、探索および発見が起こることを保証することができる。好ましいノードをよりゆっくりと探索することは、従来の標準のＨＣＳおよび非−ＨＣＳのセル再選択ルールと比べてパワー消費を低減させることができる。さらにゆっくりしたレートの探索、または探索の中断は、好ましいノードの発見の可能性を決定するためにロケーションのヒントを使用することにより、パワー消費をさらに改善することができる。
【００２３】
様々な態様が、次に図面を参照して説明される。以下の説明においては、説明の目的のために、非常に多くの特定の詳細が、１つまたは複数の態様の理解を通して提供するために説明される。しかしながら、様々な態様は、これらの特定の詳細なしに実行されることができることを明らかにすることができる。他の例においては、よく知られている構造およびデバイスは、これらの態様を説明することを容易にするためにブロック図形式で示される。
【００２４】
図１において、通信システム１００は、モバイルデバイス、移動局、またはユーザ装置（ＵＥ）１０２ａが、好ましいノード１０４を検出する可能性が高いようにして、ただしバッテリー効率が良いようにして、好ましいノード（例えば、閉ざされた加入者ノード、フェムトセル、スポンサーされたマクロセル、ホームベースノードなど）１０４を選択的に探索することを可能にする。特に、サービングノード１０６が、強いカバレージエリア（例えば、「良い」信号品質）を提供するときに、ＵＥ１０２ａは、好ましいノード１０４を探し続けるが、ただしフェーディングチャネル(fading channel)に起因してセッションを中断することを回避するためにトリガされるサービング／近隣ノード１０６のフォアグラウンドの測定よりも低減されたバックグラウンドレートで行う。
【００２５】
加入は、モバイルデバイスが、閉ざされた加入者ベースノード（例えば、ホームベースノード）にアクセスする十分な認証を有することを示すことができることを本開示の利点と共に理解すべきである。あるいは、加入は、おのおのが異なる課金レートを有する複数のアクセスシステムのうちの１つを参照することができ、それらのうちの１つまたは複数は、より経済的であるとして好ましい。さらに、加入は、そうでなければアクセス可能でない私有のサービスまたはデータの組に対するアクセス権を有するベースノードについての好みに関連することができる。
【００２６】
例示の通信システム１００において、フェムトセル１０４など、好ましいノード（もともとアクセスポイント基地局として知られている）は、一般的に、住居の、または小企業の環境の中での使用のために設計される小型セルラー基地局である。それは、ブロードバンド（例えば、デジタル加入者回線(Digital Subscriber Line)（ＤＳＬ）またはケーブル）を経由してサービスプロバイダのネットワークに接続する。特にアクセスがそうでなければ制限され、または使用不可能になる場合に、フェムトセルは、サービスプロバイダが、サービスカバレージを屋内に拡張することを可能にする。フェムトセルは、典型的な基地局の機能を組み込むが、より簡単な自己完結的な展開を可能にするようにその機能を拡張する。一例は、バックホールのためのイーサネット（登録商標）(Ethernet（登録商標）)を有する、ノードＢと、無線ネットワークコントローラ(Radio Network Controller)（ＲＮＣ）と、ＧＰＲＳサポートノード（ＳＧＳＮ）とを含むフェムトセルである。多くの注意が、３ＧＰＰ２ドメイン（１ＸおよびＤＯのシステム）に集中されるが、その概念は、ＧＳＭ（登録商標）、ＣＤＭＡ２０００、ＴＤ−ＳＣＤＭＡ、ＵＭＴＳおよびＷｉＭＡＸのソリューション、ならびにロングタームエボリューション(Long Term Evolution)（ＬＴＥ）、およびＬＴＥの進化型を含めて、すべての規格に適用可能である。ここにおいて、さらに、技術を通してフェムトセルを見出すことなどに等しく適用されるプロシージャは、１Ｘマクロシステムの中にあり、そしてＵＭＴＳフェムトボックスなどを探すマクロシステムに対するロケーションに基づいていることが、開示される。したがって、例示の態様においては、ＵＥ１０２ａは、有利な好ましい加入課金システム１０８を提供するフェムトセルなど、好ましいノード１０４に対する加入者である。
【００２７】
例示のインプリメンテーションにおいては、非加入者のＵＥ１０２ｂは、標準の非−ＨＣＳ（階層的セル構造）ルールに従ってサービスを維持するためにフォアグラウンド探索を実行する。その目的のために、「良好な」（good）チャネル状態１１２にある（例えば、サービングノードの信号品質ＳＱＵＡＬが、周波数内探索を実行するためのしきい値ＳＩＮＴＲＡＳＥＡＲＣＨよりも大きい）ときに、非加入者のＵＥ１０２ｂは、ブロードキャストパラメータ（例えば、ＤＲＸサイクル係数）に基づいて、サービングセルのパイロット強度とページングチャネルインジケータとを定期的に測定すること（すなわち、物理インジケータチャネル(Physical Indicator Channel)（ＰＩＣＨ）監視）に制限される良いチャネルのフォアグラウンド探索をインプリメントする。
【００２８】
セッションの中断が起こりそうもなく、そして探索すべき好ましいノードが存在しないので、近隣ノードを測定するための必要性は存在しない。そのような非加入者のＵＥ１０２ｂは、バックグラウンド探索のために準備される(provisioned)ことができるが、定義された好ましいノードを持たないことに応じてそのようなバックグラウンド探索をディスエーブルにする。
【００２９】
アイドルなＤＲＸ／ＰＩＣＨ監視は、ページングチャネルインジケータを監視しており、サービングセルのパイロット強度を測定し、そして各ＤＲＸサイクルに実行される。
【００３０】
非加入者のＵＥ１０２ｂが、それが「適正な(fair)」チャネル状態１１４にある（例えば、サービングノードの信号品質ＳＱＵＡＬが、ＳＩＮＴＲＡＳＥＡＲＣＨより小さいが、周波数間探索を実行するためのしきい値ＳＩＮＴＥＲＳＥＡＲＣＨよりも大きい）ことを決定するとき、フォアグラウンド探索は、とりわけマクロベースノード（ＭＮＢ）についての近隣ノードの探索を含むようにＰＩＣＨ監視から拡張する。それによって、ＵＥ１０２ｂは、セル再選択が必要とされれば、サービスを維持することができる。
【００３１】
非加入者のＵＥ１０２ｂが、それが「劣悪な(poor)」チャネル状態１１６にある（例えば、ＳＱＵＡＬ＜ＳＩＮＴＥＲＳＥＡＲＣＨである）ことを決定するとき、フォアグラウンド探索は、周波数間探索とフェムトセルについての探索とを同様に含むように、ＭＮＢについてのＰＩＣＨ監視と周波数内近隣探索とから拡張する。
【００３２】
同様に、例示の加入者のＵＥ１０２ａは、サービスを維持するためにフォアグラウンド探索を実行するが、しかしながら、加入者のＵＥ１０２ａはまた、好ましいノード１０４を正常に探索し、そして検出する。その目的のために、良好なチャネル状態１１２にあるときに、加入者のＵＥ１０２ａは、好ましいノードについてのＰＩＣＨ監視とバックグラウンド探索とを実行する。加入者のＵＥ１０２ａが、それ自体が適正なチャネル状態１１４にあることを決定するとき、加入者１０２ａはまた、万一セル再選択が必要になる場合に、別のＭＮＢについての周波数内探索を実行する。加入者のＵＥ１０２ａが、それ自体が劣悪なチャネル状態１１６にあることを決定するとき、加入者のＵＥ１０２ａはまた、コール再選択が必要であり、または差し迫っているので、ＭＮＢ、ＨＮＢ（好ましいか否か）についての周波数間探索を実行する。
【００３３】
一態様においては、ロケーション情報１２０（例えば、全地球測位システム(Global Positioning System)（ＧＰＳ）、提供されるマクロベースノードなど）は、近隣セル探索を実行するための期間をさらに調整するために使用されることができる。例えば、バックグラウンド探索は、好ましいノード１０４についてのアクセスが起こりそうにない場合に、しきい値の近傍を越えて中断されることができる。バックグラウンド探索を中断することにより、追加のリソースが、解放され、そしてパワーの節約が、達成される。別の例として、バックグラウンド探索は、正常な発見とアクセスとが、起こりそうもない、または問題があるものとして推定される場合に、近接範囲内で、よりゆっくりしたレートで実行されることができる。例示のインプリメンテーションにおいては、ロケーションのヒントは、参照によって組み込まれている上記に識別された関連した特許出願の中で説明されるように得られることができる。
【００３４】
別の態様においては、フォアグラウンド探索またはバックグラウンド探索は、そうでなければ、近隣ノードを獲得することに必要な同期化チャネル（単数または複数）を検出し、そして測定することが決定される必要があることになる拡散コード(spreading code)を提供するネットワークエンティティ（例えば、マクロ基地局１０６、好ましいノード１０４）によって容易にされる。一例においては、マクロ基地局１０６は、カバレージエリア内にあるこれらの境を接するマクロセルまたはフェムトセルの近隣リストを保持する。近隣リストのブロードキャスト１２２は、これらの保持されたノードについての主要スクランブリングコード(primary scrambling codes)（ＰＳＣ）を流布することができる。加入者ノード１０２ａは、バックグラウンド探索をトリガして、近隣リストから好ましいノード１０４を認識することができる。代わりに、または追加して、加入者ノード１０２ａは、フォアグラウンド探索（例えば、上述の探索）を促進することもできる。別の態様においては、好ましいノード１０４は、その主要スクランブリングコード（ＰＳＣ）１２４をブロードキャストすることができる。加入者のＵＥ１０２ａは、バックグラウンド探索をトリガするために、あるいは好ましいノードについての同期化チャネル（単数または複数）の測定を促進するために、このブロードキャストの検出を使用することができる。
【００３５】
図２Ａ〜２Ｂにおいて、オペレーションの方法またはシーケンス２００が、好ましいノードの信頼できる、そしてパワー効率の良い発見のために提供される。サービングノードによって送信される無線チャネルの信号品質ＳＱＵＡＬが、モバイルデバイス、アクセス端末、またはユーザ装置（ＵＥ）によって測定される（ブロック２０２）。信号品質は、しきい値より上にあることが決定され、そこで、しきい値より下にあることは、近隣ノードに対するセル再選択を準備する必要性を示す（ブロック２０４）。例えば、信号品質は、そうでなければ周波数内探索をトリガすることになるしきい値より上の良いチャネルを示すように、しきい値ＳＩＮＴＲＡＳＥＡＲＣＨより上にあることが決定される（ブロック２０５）。代わりに、または追加して、信号品質は、そうでなければ周波数間探索をトリガすることになるしきい値ＳＩＮＴＥＲＳＥＡＲＣＨより上の正しいチャネルを示すことが決定される（ブロック２０６）。
【００３６】
測定は、近隣ノードについて定期的に実行される（ブロック２０７）。例示の態様においては、モバイルデバイスは、物理インジケータチャネル（ＰＩＣＨ）を監視し、そしてサービングセルのパイロット強度を測定する（ブロック２０８）。代わりに、または追加して、モバイルデバイス／ＵＥは、検出および測定を容易にする、近隣ノードを識別するノードからのブロードキャスト情報を受信する（ブロック２１２）。例示の態様においては、モバイルデバイス／ＵＥは、各不連続受信(discontinuous reception)（ＤＲＸ）サイクル中に同期化および測定のためにサービングノードからスケジューリングを受信する（ブロック２１４）。
【００３７】
有利なことに、モバイルデバイス／ＵＥは、ユーザ装置があらかじめ定義された好ましいノードを有するという決定に応じて、好ましいノードについて、よりゆっくりしたレートの反復測定でバックグラウンド探索を可能にすることができる（ブロック２１６）。
【００３８】
代替として、または追加として、バックグラウンド探索は、好ましいノードの範囲内にあることを決定することにより、可能にされることもできる（ブロック２１８）。この決定は、モバイルデバイス（例えば、ユーザ装置）のロケーションを示す情報にアクセスすることにより行われる（ブロック２２０）。例えば、モバイルデバイス／ＵＥは、測位システムに基づいてロケーションを決定することと、好ましいノードについての地理的ロケーションにアクセスすることと、を提供することができる（ブロック２２２）。別の例として、モバイルデバイス／ＵＥは、マクロベースノードのカバレージエリアに最も近いものとして好ましいノードのロケーションを関連づけることを提供することができる（ブロック２２４）。追加の一例として、モバイルデバイス／ＵＥは、その検出がバックグラウンド探索を可能にする好ましいノードにブロードキャストビーコン(broadcast beacon)を関連づけることを提供することができる（ブロック２２６）。例えば、モバイルデバイス／ＵＥは、好ましいノードから自己識別するブロードキャスト情報を受信することができる（ブロック２２８）。１つまたは複数の先行する表示によって、モバイルデバイス／ＵＥは、好ましいノードに対する近接性を決定することができ（ブロック２３０）、そしてそれ故に、カバレージエリアのしきい値よりも近い近接性に応じて好ましいノードについての、よりゆっくりした反復レートの測定を開始することができる。
【００３９】
したがって、モバイルデバイス／ＵＥは、しきい値の上にある信号品質に応じて近隣ノードについての測定よりもゆっくりした反復レートで好ましいノードについての測定を定期的に実行するために準備される（ブロック２３２）。例えば、モバイルデバイス／ＵＥは、ＤＲＸサイクルの倍数での、よりゆっくりした反復レートを実行している可能性がある（ブロック２３４）。好ましいノードは、フェムトセル（ブロック２３６）、ホームベースノード（ブロック２３８）、または閉ざされた加入者ノード（ブロック２４０）とすることができる。
【００４０】
ＤＲＸサイクル毎のフォアグラウンド近隣探索、またはＤＲＸサイクルのある倍数毎のバックグラウンド探索は、ノードからの同期化信号を復調するためにブロードキャストによるスクランブリングコードを受信することにより容易にされることができ、その結果、好ましいノードについての定期的な測定は、スクランブリングコードを使用して実行されることができるようになる（ブロック２４２）。例えば、モバイルデバイス／ＵＥは、サービングノードからそれぞれの近隣ノードについての近隣リストの一部分として複数のスクランブリングコードを受信することができる（ブロック２４４）。代わりに、または追加して、モバイルデバイス／ＵＥは、スクランブリングコードを使用して送信する非サービングの(non-serving)好ましいノードからスクランブリングコードを受信することもできる（ブロック２４６）。
【００４１】
コール再選択判断基準および履歴は、モバイルデバイス／ＵＥを好ましいノード上で「スティッキー(Sticky)」にするように有利に設定される（ブロック２４８）。ひとたびアクセス可能と検出された（ブロック２５０）後に、モバイルデバイス／ＵＥは、好ましいノードにキャンプし（ブロック２５２）、そして次いでバックグラウンド探索を実行することを中断することができる（ブロック２５４）。
【００４２】
明確にするために、１つの好ましいノードを有する場合について説明されることを理解すべきである。各モバイルデバイス／ＵＥは、複数の好ましいノードと、おそらくそれらのあらかじめ定義された好ましいノードの間での優先順位ランキングと、を有することができる。さらに、いくつかのモバイルデバイス／ＵＥは、好ましいノードを共有し、あるいは異なる好ましいノードを有することができる。
【００４３】
図３において、好ましいノードの信頼できる、そしてパワー効率の良い発見を容易にするためのオペレーションの方法またはシーケンス３００が提供される。ノードは、無線データパケット通信を送信することと、受信することとによりサービングノードとしてモバイルデバイスをサーブする（ブロック３０２）。モバイルデバイスに対する好ましいノードによって使用されるスクランブリングコードは、ブロードキャストすることにより好ましいノードのモバイルデバイスによる発見を容易にするようにブロードキャストされ、そこで、モバイルデバイスは、しきい値より上にある信号品質に応じて近隣ノードについての測定よりもゆっくりした反復レートで好ましいノードについての測定を定期的に実行する（ブロック３０４）。
【００４４】
一例においては、サービングノードは、カバレージエリア内のノードについての近隣リストを保持し、そこで、好ましいノードは、ノードのうちの１つである（ブロック３０６）。サービングノードは、カバレージエリア内のノードについてのスクランブリングコードを含む近隣リストをブロードキャストする（ブロック３０６）。
【００４５】
代替としてまたは追加として、好ましいノードは、モバイルデバイスによる発見を容易にするために好ましいノードによるスクランブリングコードをブロードキャストする（ブロック３０８）。
【００４６】
一態様においては、サービングノードは、サービングノードと近隣ノードとからの送信についての同期化および測定を実行するための不連続受信（ＤＲＸ）サイクルにわたってサーブされたモバイルデバイスをスケジュールする（ブロック３１０）。有利なことに、スケジューリングは、近隣ノードについての測定よりもゆっくりした反復レートで好ましいノードについての測定を定期的に実行するバックグラウンド探索をサポートする（ブロック３１２）。バックグラウンド探索は、しきい値より上にある信号品質によってトリガされることができる（ブロック３１４）。
【００４７】
さらに、サービングノードや好ましいノードなどのネットワークエンティティは、モバイルデバイスが、よりゆっくりした反復レートで好ましいノードについての測定を選択的に実行することを可能にする、ロケーションに関連した情報を送信することができる（ブロック３１６）。
【００４８】
図７は、いくつかのユーザをサポートするように構成された例示の無線通信システム７００を示しており、このシステムにおいては、様々な開示された実施形態および態様が、インプリメントされることができる。図７に示されるように、例として、システム７００は、例えば、各セルが、アクセスノード(access nodes)（ＡＮ）としても知られている、対応するアクセスポイント(access point)（ＡＰ）７０４（ＡＰ７０４ａ〜１０４ｇなど）によってサービスされた、マクロセル７０２ａ〜７０２ｇなどの複数のセル７０２についての通信を提供する。各セルは、さらに、１つまたは複数のセクタへと分割されることができる。様々なアクセス端末(access terminals)（ＡＴ）７０６は、ユーザ装置（ＵＥ）としても交換可能に知られている、ＡＴ７０６ａ〜７０６ｋを含めて、システム全体を通して分散される。各ＡＴ７０６は、例えば、ＡＴがアクティブであるかどうかと、それがソフトハンドオフにあるかどうかとに応じて、与えられた瞬間に順方向リンク(forward link)（ＦＬ）および／または逆方向リンク(reverse link)（ＲＬ）上で１つまたは複数のＡＰ７０４と通信することができる。無線通信システム７００は、大きな地理的領域上でサービスを提供することができ、例えば、マクロセル７０２ａ〜７０２ｇは、近傍の数ブロックをカバーすることができる。
【００４９】
図８は、ネットワーク環境内でのアクセスポイント基地局の展開を可能にする例示の通信システムを示している。図８に示されるように、システム８００は、おのおのが、例えば、１つまたは複数のユーザの住居８３０の中などの対応する小規模ネットワーク環境の中にインストールされ、そして異質であると同様に関連するユーザ装置（ＵＥ）８２０をサーブするように構成されている、例えば、ＨＮＢ８１０など、複数のアクセスポイント基地局、またはホームノードＢユニット（ＨＮＢ）を含む。各ＨＮＢ８１０は、さらに、ＤＳＬルータ（図示されず）を、あるいは代わりに、ケーブルモデム（図示されず）、無線リンク、または他のインターネット接続手段を経由してインターネット８４０とモバイルオペレータコアネットワーク８５０とに結合される。
【００５０】
ここにおいて説明される実施形態は、３ＧＰＰの専門用語を使用しているが、本実施形態は、３ＧＰＰ（Ｒｅｌ９９、Ｒｅｌ５、Ｒｅｌ６、Ｒｅｌ７）技術、ならびに３ＧＰＰ２（１ｘＲＴＴ、１ｘＥＶ−ＤＯ  Ｒｅｌ０、ＲｅｖＡ、ＲｅｖＢ）技術、および他の知られている関連した技術に対して適用されることができることを理解すべきである。ここにおいて説明されるそのような実施形態においては、ＨＮＢ８１０の所有者は、モバイルオペレータコアネットワーク８５０を通して提供される、例えば、３Ｇモバイルサービスなどのモバイルサービスに加入し、そしてＵＥ８２０は、マクロセルラー環境の中でも、住居の小規模ネットワーク環境の中でも共に動作することができる。
【００５１】
図９は、１つまたは複数の態様に従ってセルラークセスについてフェムト基地局(femto base station)（ｆＢＳ）ネットワークとインターフェースすることができる一例のモバイルデバイスを示している。モバイルデバイス９００は、信号（例えば、第１のｆＢＳとモバイルデバイス９００との間のデータリンクに関連した情報を含む）を受信する少なくとも１つのアンテナ９０２（例えば、入力インターフェースを備える送信レシーバ、またはそのようなレシーバのグループ）と、受信信号上で典型的なアクションを実行する（例えば、フィルタにかけ、増幅し、ダウンコンバートするなどを行う）少なくとも１つのレシーバ９０４と、含む。特に、アンテナ９０２（単数または複数）は、そのようなデバイスとの通信リンクに参加するために、ここにおいて説明されるように、１つまたは複数のセルラー基地局またはｆＢＳ（図示されず）から情報を受信することができる。例えば、アンテナ９０２（単数または複数）は、ｆＢＳまたはセルラーネットワークコンポーネントから地理的ロケーションなどの識別情報を受信することができる。
【００５２】
アンテナ９０２と、レシーバ９０４とは、受信シンボルを復調し、そしてそれらを評価のために送信プロセッサ９０８に対して供給することができる復調器９０６に接続されることもできる。送信プロセッサ９０８は、アンテナ９０２（単数または複数）によって受信される情報を解析すること、および／またはトランスミッタ９２０による送信のための情報を生成すること、に専用のプロセッサとすることができる。さらに、送信プロセッサ９０８は、モバイルデバイス９００の１つまたは複数のコンポーネントを制御し、かつ／またはアンテナ９０２（単数または複数）によって受信される情報を解析し、トランスミッタ９２０による送信のための情報を生成し、そしてモバイルデバイス９００の１つまたは複数のコンポーネントを制御することができる。さらに、送信プロセッサ９０８は、近接トリガを決定し、そして好ましい小型基地局（例えば、フェムト基地局）についてスキャンするための命令を実行するために、デバイスメモリ９１０に記憶されるアプリケーションモジュール９１２にアクセスすることができる。デバイスメモリ９１０は、記憶された命令を保持することができ、そしてデータを記憶するために使用されることができる。とりわけ、モバイルデバイス９００は、送信プロセッサ９０８に動作的に結合され、そして送信され、受信されるべきなどのデータを記憶することができるデバイスメモリ９１０をさらに備えることができる。さらに、メモリ９１０は、モバイルデバイス９００についてのアプリケーションモジュールを記憶することができる。選択的ＳＢＳ発見アプリケーションモジュール(Selective SBS Discovery application module)９１２と、アプリケーション９１４とは、デバイスメモリ９１０（下記を参照）内に記憶される２つのそのようなモジュールとすることができる。
【００５３】
ここにおいて説明されるデータストア（例えば、デバイスメモリ９１０）は、揮発性メモリまたは不揮発性メモリのいずれかとすることもでき、あるいは揮発性と不揮発性との両方のメモリを含むことができることが認識されるであろう。例証として、限定するものではないが、不揮発性メモリは、リードオンリーメモリ(read only memory)（ＲＯＭ）、プログラマブルＲＯＭ（programmable ROM）（ＰＲＯＭ）、電気的プログラマブルＲＯＭ(electrically programmable ROM)（ＥＰＲＯＭ）、電気的消去可能ＰＲＯＭ(electrically erasable PROM)（ＥＥＰＲＯＭ）、またはフラッシュメモリを含むことができる。揮発性メモリは、ランダムアクセスメモリ(random access memory)（ＲＡＭ）を含むことができ、これは外部キャッシュメモリとしての役割を果たす。例証として限定するものではないが、ＲＡＭは、シンクロナスＲＡＭ(synchronous RAM)（ＳＲＡＭ）、ダイナミックＲＡＭ(dynamic RAM)（ＤＲＡＭ）、シンクロナスＤＲＡＭ(synchronous DRAM)（ＳＤＲＡＭ）、ダブルデータレートＳＤＲＡＭ(double data rate SDRAM)（ＤＤＲ  ＳＤＲＡＭ）、拡張ＳＤＲＡＭ(enhanced SDRAM)（ＥＳＤＲＡＭ）、シンクリンクＤＲＡＭ(Synchlink DRAM)（ＳＬＤＲＡＭ）、ダイレクトラムバスＲＡＭ(direct Rambus RAM)（ＤＲＲＡＭ）など多数の形態で使用可能である。主題のシステムおよび方法のメモリ（例えば、デバイスメモリ９１０）は、それだけに限定されることなく、これらおよび他の適切な任意のタイプのメモリを備えるように意図される。
【００５４】
アプリケーションモジュール９１２は、デバイスメモリ９０８に記憶され、そしてその地理的ロケーションまたはビーコンを報告するために、そして選択的ＳＤＳ発見データベースのプロビジョニングを実行するためにｆＢＳについての命令を生成するように構成されていることができる。例えば、アプリケーションモジュール９１２は、メモリ９０８の中のデータストアにアクセスし、そしてモバイルデバイス９００に関連のあるｆＢＳを識別することができる。選択的ＳＢＳ発見アプリケーション９１４も、デバイスメモリ９１０に記憶される。モバイルデバイス９００は、依然として、変調器９１８と、例えば信号（例えば、送信データパケットを含む）を基地局（例えば、ｆＢＳまたはｆＢＳのグループ）、アクセスポイント、別のモバイルデバイス、リモートエージェントなどへと送信するトランスミッタ９２０と、をさらに備える。送信プロセッサ９０８とは別であるように示されるが、アプリケーションモジュール９１２と、送信マッピングアプリケーション９１４とは、例えば、キャッシュメモリに記憶されるプロセッサ９０８、またはいくつかのプロセッサ（図示されず）の一部分とすることができることを理解すべきである。
【００５５】
図１０は、ｆＢＳデバイスのネットワークを経由してモバイルデバイス１００４をセルラーネットワーク（図示されず）とインターフェースさせることができるシステム１０００の説明図である。システム１０００は、複数の受信アンテナ１００６を通してモバイルデバイス１００４（単数または複数）から、または他のｆＢＳデバイス（図示されず）から、信号（単数または複数）を受信するレシーバコンポーネント１０１０を有するｆＢＳ１００２（例えば、アクセスポイントなど）を含んでいる。ｆＢＳ１００２はまた、１つまたは複数の送信アンテナ１００８を通してモバイルデバイス１００４（単数または複数）（または他のｆＢＳデバイス）へと送信する送信コンポーネント１０２６も含んでいる。レシーバコンポーネント１０１０は、受信アンテナ１００６からの情報を受信することができ、そしてモバイルデバイスによって送信されるアップリンクデータを受信する信号受信側（図示されず）をさらに備えることができる。受信コンポーネント１０１０と、送信コンポーネント１０２６とは、両方ともに、モバイルデバイスと、またはｆＢＳデバイスと対話するために、ＷＬＡＮ、ＢＰＬ、イーサネット（登録商標）、ＵＭＴＳ  ＴＤＤ、またはＵＭＴＳ  ＴＤＤスペクトル通信機能上のＷＬＡＮを含むことができる。
【００５６】
レシーバコンポーネント１０１０は、受信情報を復調する復調器１０１２に動作的に関連づけられる。復調されたシンボルは、変調器１０２４によって変調され、そして送信コンポーネント１０２６によって送信される追加の信号を（例えば、送信命令および／または経路指定命令の形態で）生成することができるネットワークプロセッサ１０２２によって分析される。さらに、ネットワークプロセッサ１０２２は、メモリ１０２０に結合されることができる。メモリ１０２０は、有線および／または無線の通信を実行することに関連のある情報、ｆＢＳネットワークを保持するためのアプリケーションモジュール１０１４、１０１６、ｆＢＳデバイスの間の、かつ／または接続されたモバイルデバイスとの経路指定情報、および／またはここにおいて説明される様々なアクションおよび機能を実行することに関連した他の適切な任意の情報（下記を参照）を記憶する。
【００５７】
ネットワークプロセッサ１０２２は、セルラーネットワークへの（例えば、セルラーネットワークへの直接接続を経由しての、またはインターネットを経由しての）転送のために近隣ｆＢＳ（図示されず）に対して、ｆＢＳ１００２とモバイルデバイス１００４との間の通信リンクに関連するトラフィックの少なくとも一部分を経路指定することができる。さらに、ネットワークプロセッサ１０２２は、ＩＰアップロードリンク１０３０（例えば、ＡＤＳＬ、ＶＤＳＬ、ＨＤＳＬなどのＤＳＬ接続、ケーブルＩＰ接続、ＢＰＬ接続）を経由してセルラーネットワークに直接にｆＢＳ１００２に関連する（例えば、あらかじめ決定されたモバイルデバイス、またはモバイルデバイスのグループによって生成される）トラフィックを方向づけるように構成されている。さらに、データは、ＩＰダウンロードリンク１０２８（例えば、ＤＳＬ、ケーブル、ＢＰＬ）を経由してセルラーネットワークから受信され、そしてｆＢＳ１００２に関連するモバイルデバイス１００４へと方向づけられることができる。上記に加えて、レシーバコンポーネント１０１０と、送信コンポーネント１０２６とは、ライセンスされない周波数、または有線接続の上で通信するＩＰルータ１０２７（例えば、ＷＬＡＮルータ、ＬＡＮルータなど）を経由してセルラーネットワークへと／から（例えば、ＩＰアップロード１０３０および／またはＩＰダウンロード１０２８を経由して）、あるいはｆＢＳネットワークの他のｆＢＳデバイスへと／から、様々な情報をそれぞれ受信し、そして送信することができる。
【００５８】
図１１を参照すると、好ましいノードの信頼できる、そしてパワー効率の良い発見のためのシステム１１００が示されている。例えば、システム１１００は、ユーザ装置（ＵＥ）の内部に少なくとも部分的に存在することができる。システム１１００は、機能ブロックを含んでいるように表され、これらの機能ブロックは、コンピューティングプラットフォーム、プロセッサ、ソフトウェア、またはそれらの組合せ（例えば、ファームウェア）によってインプリメントされる機能を表す機能ブロックとすることができることを理解すべきである。システム１１００は、一緒に動作することができる電気コンポーネントの論理的グループ分け１１０２を含んでいる。例えば、論理的グループ分け１１０２は、サービングノードによって送信される無線チャネルの信号品質を測定するための電気コンポーネント１１０４を含むことができる。さらに、論理的グループ分け１１０２は、信号品質がしきい値より上にあることを決定するための電気コンポーネント１１０６を含むことができ、そこで、しきい値より下にあることは、近隣ノードに対するコール再選択を準備する必要性を示す。さらに、論理的グループ分け１１０２は、近隣ノードについての測定を定期的に実行するための電気コンポーネント１１０８を含むことができる。さらに、論理的グループ分け１１０２は、しきい値より上にある信号品質に応じて近隣ノードについての測定よりもゆっくりした反復レートで好ましいノードについての測定を定期的に実行するための電気コンポーネント１１１０を含むことができる。さらに、システム１１００は、電気コンポーネント１１０４〜１１１０に関連する機能を実行するための命令を保持するメモリ１１２０を含むことができる。メモリ１１２０の外部にあるように示されているが、電気コンポーネント１１０４〜１１１０のうちの１つまたは複数は、メモリ１１２０内に存在することができることを理解すべきである。
【００５９】
図１２を参照すると、好ましいノードの信頼できる、そしてパワー効率の良い発見を容易にするためのシステム１２００が示されている。例えば、システム１２００は、無線アクセスのためのネットワークエンティティ（例えば、マクロ基地局、フェムトセル、ホームベースノードなど）の内部に少なくとも部分的に存在することができる。システム１２００は、機能ブロックを含んでいるように表され、これらの機能ブロックは、コンピューティングプラットフォーム、プロセッサ、ソフトウェア、またはそれらの組合せ（例えば、ファームウェア）によってインプリメントされる機能を表す機能ブロックとすることができることを理解すべきである。システム１２００は、一緒に動作することができる電気コンポーネントの論理的グループ分け１２０２を含んでいる。例えば、論理的グループ分け１２０２は、サービングノードによって送信される無線チャネルの信号品質を測定するための電気コンポーネント１２０４を含むことができる。さらに、論理的グループ分け１２０２は、信号品質がしきい値より上にあることを決定するための電気コンポーネント１２０６を含むことができ、そこでは、しきい値より下にあることは、近隣ノードに対するコール再選択を準備する必要性を示す。さらに、論理的グループ分け１２０２は、近隣ノードについての測定を定期的に実行するための電気コンポーネント１２０８を含むことができる。さらに、論理的グループ分け１２０２は、しきい値より上にある信号品質に応じて近隣ノードについての測定よりもゆっくりした反復レートで好ましいノードについての測定を定期的に実行するための電気コンポーネント１２１０を含むことができる。さらに、システム１２００は、電気コンポーネント１２０４〜１２１０に関連する機能を実行するための命令を保持するメモリ１２２０を含むことができる。メモリ１２２０の外部にあるように示されているが、電気コンポーネント１２０４〜１２１０のうちの１つまたは複数は、メモリ１２２０の内部に存在することができることを理解すべきである。
【００６０】
図１３においては、好ましいノードの信頼できる、そしてパワー効率の良い発見のための装置１３０２が提供される。手段１３０４は、サービングノードによって送信される無線チャネルの信号品質を測定するために提供される。手段１３０６は、信号品質がしきい値より上にあることを決定するために提供され、そこで、しきい値より下にあることは、近隣ノードに対するコール再選択を準備する必要性を示す。手段１３０８は、近隣ノードについての測定を定期的に実行するために提供される。手段１３１０は、信号品質がしきい値より上にあることに応じて近隣ノードについての測定よりもゆっくりした反復レートで好ましいノードについての測定を定期的に実行するために提供される。
【００６１】
図１４においては、好ましいノードの信頼できる、そしてパワー効率の良い発見を容易にするための装置１４０２が提供される。手段１４０４は、無線データパケット通信を送信することと、受信することとにより、サービングノードとしてモバイルデバイスをサーブするために提供される。手段１４０４は、モバイルデバイスに対して好ましいノードによって使用されるスクランブリングコードをブロードキャストすることにより、好ましいノードのモバイルデバイスによる発見を容易にするために提供され、そこで、モバイルデバイスは、しきい値より上にある信号品質に応じて近隣ノードについての測定よりもゆっくりした反復レートで好ましいノードについての測定を定期的に実行する。
【００６２】
上記で説明されているものは、様々な態様の例を含んでいる。様々な態様を説明する目的のためにコンポーネントまたは方法のあらゆる考えられる組合せを説明することは、もちろん可能ではないが、当業者は、多数のさらなる組合せおよび置換が可能であることを認識することができる。したがって、主題の明細書は、添付の特許請求の範囲の精神および範囲内に含まれるすべてのそのような変更、修正、および変形を包含するように意図される。
【００６３】
「例示の(exemplary)」という語は、ここにおいて、「１つの例、インスタンス、または例証としての役割を果たすこと」を意味するために使用される。「例示の」としてここにおいて説明される任意の実施形態は、必ずしも他の実施形態よりも好ましい、または有利であるとして解釈されるべきであるとは限らない。本開示の実施形態は、以下の技術：符号分割多元接続(Code Division Multiple Access)（ＣＤＭＡ）システム、マルチキャリアＣＤＭＡ(Multiple-Carrier CDMA)（ＭＣ−ＣＤＭＡ）、広帯域ＣＤＭＡ(Wideband CDMA)（Ｗ−ＣＤＭＡ）、高速パケットアクセス(High-Speed Packet Access)（ＨＳＰＡ、ＨＳＰＡ＋）、時分割多元接続(Time Division Multiple Access)（ＴＤＭＡ）システム、周波数分割多元接続(Frequency Division Multiple Access)（ＦＤＭＡ）システム、直交周波数分割多元接続(Orthogonal Frequency Division Multiple Access)（ＯＦＤＭＡ）システム、または他の多元接続技法、のうちの任意の１つまたは組合せに対して適用されることができる。無線通信システムは、ＩＳ−９５規格、ｃｄｍａ２０００規格、ＩＳ−８５６規格、Ｗ−ＣＤＭＡ規格、ＴＤ−ＳＣＤＭＡ規格、他の規格など、１つまたは複数の規格をインプリメントするように設計されることができる。
【００６４】
特に、そして上記に説明されたコンポーネント、デバイス、回路、システムなどによって実行される様々な機能に関して、そのようなコンポーネントを説明するために使用される用語（「手段」についての言及を含めて）は、その他の方法で示されていない限り、たとえ開示された構造と構造的に同等でないとしても、ここにおいて示された例示の態様において機能を実行する、説明されたコンポーネントの指定された機能（機能的同等物）を実行する任意のコンポーネントに対応するように意図される。これに関して、様々な態様は、システム、ならびに様々な方法の動作および／またはイベントを実行するためのコンピュータ実行可能命令を有するコンピュータ可読媒体、を含むこともまた認識されるであろう。
【００６５】
さらに、特定の特徴が、いくつかのインプリメンテーションのうちの１つだけに関して開示されている可能性があるが、そのような特徴は、任意の与えられた、または特定のアプリケーションのために望ましく、そして有利にすることができるように、他のインプリメンテーションのうちの１つまたは複数の他の特徴と組み合わされることができる。用語「含む(includes)」および「含んでいる(including)」とその変形とが、詳細な説明または特許請求の範囲のいずれかの中で使用される限りでは、これらの用語は、用語「備えている(comprising)」と類似した方法で、包含的であるように意図される。さらに、詳細な説明または特許請求の範囲のいずれかの中で使用される用語「または(or)」は、「非排他的論理和(non-exclusive or)」であるように意味される。
【００６６】
さらに、理解されるように、開示されたシステムと方法との様々な部分は、人工知能、機械学習、あるいは知識ベースまたはルールベースのコンポーネント、サブコンポーネント、プロセス、手段、方法、またはメカニズム（例えば、サポートベクトル機械、ニューラルネットワーク、エキスパートシステム、ベイジアン信念ネットワーク(Bayesian belief networks)、ファジー論理、データ融合エンジン(data fusion engines)、分類子(classifiers)...）を含むことができ、あるいはそれらから構成されることができる。そのようなコンポーネントは、とりわけ、それによってシステムおよび方法の一部分をより適応可能、ならびに効率的および知的にするように実行されるある種のメカニズムまたはプロセスを自動化することができる。例として、そして限定するものではないが、進化型ＲＡＮ（例えば、アクセスポイント、ｅＮｏｄｅＢ）は、堅牢な、または増大されたチェックフィールド(check field)が使用されているときに、推論し、または予測することができる。
【００６７】
本願において使用されるように、「コンポーネント」、「モジュール」、「システム」などの用語は、ハードウェア、ハードウェアとソフトウェアとの組合せ、ソフトウェア、または実行中のソフトウェアのいずれであっても、コンピュータに関連したエンティティを意味するように意図される。例えば、コンポーネントは、それだけには限定されないが、プロセッサ上で実行されるプロセス、プロセッサ、オブジェクト、実行形式(executable)、実行スレッド(thread of execution)、プログラム、および／またはコンピュータとすることができる。例として、サーバ上で実行されるアプリケーションも、サーバも、両方ともにコンポーネントとすることができる。１つまたは複数のコンポーネントは、プロセス内に存在することができ、かつ／または実行スレッドとコンポーネントとは、１台のコンピュータ上に局所化され、かつ／または２台以上のコンピュータの間で分散されることができる。
【００６８】
「例示の」(exemplary)という語は、ここにおいて、１つの例、インスタンス、または例証としての役割を果たすことを意味するために使用される。ここにおいて「例示の」として説明される任意の態様または設計は、必ずしも他の態様または設計よりも好ましい、あるいは有利であるとして解釈されるべきであるとは限らない。
【００６９】
さらに、１つまたは複数のバージョンは、開示された態様をインプリメントするようにコンピュータを制御するソフトウェア、ファームウェア、ハードウェア、またはそれらの任意の組合せを生成するために、標準のプログラミング技法および／またはエンジニアリング技法を使用した方法、装置、または製造の物品としてインプリメントされることができる。ここにおいて使用されるような用語「製造の物品」（あるいはその代わりに、「コンピュータプログラムプロダクト(computer program product)」）は、任意のコンピュータ可読のデバイス、キャリア、または媒体からアクセス可能なコンピュータプログラムを包含するように意図される。例えば、コンピュータ可読媒体は、それだけには限定されないが、磁気ストレージデバイス（例えば、ハードディスク、フロッピー（登録商標）ディスク、磁気ストリップ...）と、光ディスク（例えば、コンパクトディスク（ＣＤ）と、デジタル多用途ディスク(digital versatile disk)（ＤＶＤ）...）と、スマートカードと、フラッシュメモリデバイス（例えば、カード、スティック）と、を含むことができる。さらに、搬送波(carrier wave)は、電子メールを送信し、そして受信する際に、あるいはインターネットやローカルエリアネットワーク(local area network)（ＬＡＮ）などのネットワークにアクセスする際に使用されるものなどのコンピュータ可読電子データを搬送するために使用されることができることを理解すべきである。もちろん、当業者は、多数の修正が、本開示の態様の範囲を逸脱することなくこのコンフィギュレーションに対して行われることができることを認識するであろう。
【００７０】
様々な態様は、いくつかのコンポーネント、モジュールなどを含むことができるシステムの観点から提示されることになる。様々なシステムは、追加のコンポーネント、モジュールなどを含むことができ、かつ／または図面に関連して論じられるコンポーネント、モジュールなどの必ずしもすべてを含まなくてもよいことを理解し、そして認識すべきである。これらのアプローチの組合せもまた、使用されることができる。ここにおいて開示される様々な態様は、タッチ画面ディスプレイ技術および／またはマウスおよびキーボードのタイプのインターフェースを利用するデバイスを含む電気デバイス上で実行されることができる。そのようなデバイスの例は、コンピュータ（デスクトップおよびモバイル）と、スマート電話と、携帯型個人情報端末(personal digital assistants)（ＰＤＡ）と、有線と無線との両方の他の電子デバイスと、を含む。
【００７１】
上記に説明された例示のシステムを考慮して、開示された主題に従ってインプリメントされることができる方法が、いくつかの流れ図を参照して説明されている。説明を簡単にする目的のために、本方法は、一連のブロックとして示され、そして説明されるが、いくつかのブロックが、ここにおいて示され、そして説明される順序と異なる順序で、かつ／または他のブロックと同時に起こることができるので、特許請求の範囲の主題は、ブロックの順序によって限定されないことを理解し、そして認識すべきである。さらに、必ずしもすべての示されたブロックが、ここにおいて説明される方法をインプリメントするために必要とされる可能性があるとは限らない。さらに、ここにおいて開示される方法は、そのような方法をコンピュータに対して移送することと、転送することとを容易にするために製造の物品上に記憶されることができることをさらに理解すべきである。ここにおいて使用されるような製造の物品という用語は、任意のコンピュータ可読のデバイス、キャリア、または媒体からアクセス可能なコンピュータプログラムを包含するように意図される。
【００７２】
ここにおいて参照によって組み込まれるように言われる任意の特許、公開、または他の開示資料は、全体に、または部分的に、組み込まれた資料が、既存の定義、記述、または本開示の中で説明される他の開示資料と競合しない限りでのみ、ここにおいて組み込まれることを理解すべきである。したがって、そして必要な限り、ここにおいて明示的に説明される開示は、ここにおいて参照によって組み込まれているどのような競合資料にも優先する。ここにおいて参照によって組み込まれるように言われるが、既存の定義、記述、またはここにおいて説明される他の開示資料と競合する任意の資料、あるいはその部分は、競合が、その組み込まれている資料と、既存の開示資料との間で起こらない限り、組み込まれることになるにすぎない。
下記に出願時の請求項１−５０に対応する記載を付記１−５０として表記する。
付記１
好ましいノードの信頼できる、そしてパワー効率の良い発見のための方法であって、
以下の動作をインプリメントするために、コンピュータ可読記憶媒体上に記憶されるコンピュータ実行可能命令を実行するプロセッサを使用することと；
サービングノードによって送信される無線チャネルの信号品質を測定することと；
前記信号品質がしきい値より上にあることを決定することと、なお前記しきい値より下にあることは、近隣ノードに対するセル再選択を準備する必要性を示す；
近隣ノードについての測定を定期的に実行することと；
前記しきい値より上にある前記信号品質に応じて近隣ノードについての前記測定よりもゆっくりした反復レートで好ましいノードについての測定を定期的に実行することと；
を備える方法。
付記２
前記信号品質が、そうでなければ周波数内探索をトリガすることになる前記しきい値より上の良いチャネルを示すことを決定すること、をさらに備える付記１に記載の方法。
付記３
前記信号品質が、そうでなければ周波数間探索をトリガすることになる前記しきい値より上の正しいチャネルを示すことを決定すること、をさらに備える付記１に記載の方法。
付記４
好ましい閉ざされた加入ノードについての測定を実行すること、をさらに備える付記１に記載の方法。
付記５
フェムトセルについての測定を実行すること、をさらに備える付記１に記載の方法。
付記６
ホームベースノードについての測定を実行すること、をさらに備える付記５に記載の方法。
付記７
ユーザ装置が好ましいノードをあらかじめ定義している決定に応じて前記好ましいノードについての前記のよりゆっくりしたレートの反復測定を可能にすること、をさらに備える付記１に記載の方法。
付記８
各不連続受信（ＤＲＸ）サイクル中に前記サービングノードからの送信のための同期化および測定を実行することと、
前記不連続受信（ＤＲＸ）サイクルの倍数で、よりゆっくりした反復レートを実行することと、
をさらに備える付記１に記載の方法。
付記９
モバイルデバイスのロケーションを示す情報にアクセスすることと、
前記好ましいノードに対する近接性を決定することと、
カバレージエリアしきい値よりも近くにある前記近接性に応じて前記好ましいノードについての、よりゆっくりした反復レート測定を可能にすることと、
をさらに備える付記１に記載の方法。
付記１０
測位システムに基づいてロケーションを決定することと、
前記好ましいノードについての地理的ロケーションにアクセスすることと、
をさらに備える付記９に記載の方法。
付記１１
マクロベースノードのカバレージエリアに最も近いとして前記好ましいノードのロケーションを関連づけること、をさらに備える付記９に記載の方法。
付記１２
前記好ましいノードにブロードキャストビーコンを関連づけることと、
前記ブロードキャストビーコンを検出することに応じて前記のよりゆっくりした反復レートで前記好ましいノードについての定期的測定を開始することと、
をさらに備える付記９に記載の方法。
付記１３
近隣ノードを識別するノードからブロードキャスト情報を受信すること、をさらに備える付記１に記載の方法。
付記１４
前記好ましいノードから自己識別するブロードキャスト情報を受信すること、をさらに備える付記１に記載の方法。
付記１５
ノードからの同期化信号を復調するための、ブロードキャストによるスクランブリングコードを受信することと、
前記スクランブリングコードを使用して前記好ましいノードについての測定を定期的に実行することと、
をさらに備える付記１に記載の方法。
付記１６
サービングノードからそれぞれの近隣ノードについての複数のスクランブリングコードを受信すること、
をさらに備える付記１５に記載の方法。
付記１７
前記スクランブリングコードを使用して送信する非サービングの好ましいノードから前記スクランブリングコードを受信すること、
をさらに備える付記１５に記載の方法。
付記１８
前記好ましいノードにキャンプすることに応じて近隣ノードについての前記測定よりも前記ゆっくりした反復レートで前記好ましいノードについての測定を定期的に実行することを中断すること、
をさらに備える付記１に記載の方法。
付記１９
好ましいノードの信頼できる、そしてパワー効率の良い発見のためのコンピュータプログラムプロダクトであって、
少なくとも１つのプロセッサによって実行されるときに、
コンピュータに、サービングノードによって送信される無線チャネルの信号品質を測定するようにさせるための第１の組の命令と；
前記コンピュータに、前記信号品質が、しきい値より上にあることを決定するようにさせるための第２の組の命令と、なお前記しきい値より下にあることは、近隣ノードに対するセル再選択を準備する必要性を示す；
前記コンピュータに、近隣ノードについての測定を定期的に実行するようにさせるための第３の組の命令と；
前記コンピュータに、前記しきい値より上にある前記信号品質に応じて近隣ノードについての前記測定よりもゆっくりした反復レートで好ましいノードについての測定を定期的に実行するようにさせるための第４の組の命令と；
を備えるコンポーネントをインプリメントするコンピュータ実行可能命令を記憶する少なくとも１つのコンピュータ可読記憶媒体、
を備えるコンピュータプログラムプロダクト。
付記２０
好ましいノードの信頼できる、そしてパワー効率の良い発見のための装置であって、
少なくとも１つのプロセッサと、
前記少なくとも１つのプロセッサによって実行されるときに、
サービングノードによって送信される無線チャネルの信号品質を測定するための手段と；
前記信号品質が、しきい値より上にあることを決定するための手段と、なお前記しきい値より下にあることは、近隣ノードに対するコール再選択を準備する必要性を示す；
近隣ノードについての測定を定期的に実行するための手段と；
前記しきい値より上にある前記信号品質に応じて近隣ノードについての前記測定よりもゆっくりした反復レートで好ましいノードについての測定を定期的に実行するための手段と；
を備えるコンポーネントをインプリメントするコンピュータ実行可能命令を記憶する少なくとも１つのコンピュータ可読記憶媒体と、
を備える装置。
付記２１
好ましいノードの信頼できる、そしてパワー効率の良い発見のための装置であって、
サービングノードによって送信される無線チャネルの信号品質を測定するためのレシーバと、
前記信号品質がしきい値より上にあることを決定することと、なお前記しきい値より下にあることは、近隣ノードに対するセル再選択を準備する必要性を示す；
前記レシーバに、近隣ノードについての測定を定期的に実行するようにさせることと；
前記レシーバに、前記しきい値より上にある前記信号品質に応じて近隣ノードについての前記測定よりもゆっくりした反復レートで好ましいノードについての測定を定期的に実行するようにさせることと；
のためのコンピューティングプラットフォームと、
を備える装置。
付記２２
前記コンピューティングプラットフォームは、さらに、前記信号品質が、そうでなければ周波数内探索をトリガすることになる前記しきい値より上の良好なチャネルを示すことを決定することのためである、付記２１に記載の装置。
付記２３
前記コンピューティングプラットフォームは、さらに、前記信号品質が、そうでなければ周波数間探索をトリガすることになる前記しきい値より上の適正なチャネルを示すことを決定することのためである、付記２１に記載の装置。
付記２４
前記レシーバは、さらに、好ましい閉ざされた加入ノードについての測定を実行することのためである、付記２１に記載の装置。
付記２５
前記レシーバは、さらに、フェムトセルについての測定を実行することのためである、付記２１に記載の装置。
付記２６
前記レシーバは、さらに、ホームベースノードについての測定を実行することのためである、付記２５に記載の装置。
付記２７
前記コンピューティングプラットフォームは、さらに、ユーザ装置が好ましいノードをあらかじめ定義している決定に応じて前記好ましいノードについての前記のよりゆっくりしたレートの反復測定を可能にすることのためである、付記２１に記載の装置。
付記２８
前記コンピューティングプラットフォームは、さらに、各不連続受信（ＤＲＸ）サイクル中に前記サービングノードからの送信のための同期化および測定を実行することのためであり、そして前記不連続受信（ＤＲＸ）サイクルの倍数でのよりゆっくりした反復レートを実行することのためである、付記２１に記載の装置。
付記２９
前記コンピューティングプラットフォームは、さらに、モバイルデバイスのロケーションを示す情報にアクセスすることのためであり、前記好ましいノードに対する近接性を決定することのためであり、そしてカバレージエリアしきい値よりも近い前記近接性に応じて前記好ましいノードについてのよりゆっくりした反復レートの測定を可能にすることのためである、付記２１に記載の装置。
付記３０
前記コンピューティングプラットフォームは、さらに、測位システムに基づいてロケーションを決定することのためであり、そして前記好ましいノードについての地理的ロケーションにアクセスすることのためである、付記２９に記載の装置。
付記３１
前記コンピューティングプラットフォームは、さらに、マクロベースノードのカバレージエリアに最も近いとして前記好ましいノードのロケーションを関連づけることのためである、付記２９に記載の装置。
付記３２
前記コンピューティングプラットフォームは、さらに、ブロードキャストビーコンを前記好ましいノードに関連づけることのためであり、そして前記ブロードキャストビーコンを検出する前記レシーバに応じて前記のよりゆっくりした反復レートで前記好ましいノードについての定期的測定を開始することのためである、付記２９に記載の装置。
付記３３
前記レシーバは、さらに、近隣ノードを識別するノードからブロードキャスト情報を受信することのためである、付記２１に記載の装置。
付記３４
前記レシーバは、さらに、前記好ましいノードから自己識別するブロードキャスト情報を受信することのためである、付記２１に記載の装置。
付記３５
前記レシーバは、さらに、ノードから同期化信号を復調するための、ブロードキャストによるスクランブリングコードを受信することのためであり、そして前記スクランブリングコードを使用して前記好ましいノードについての測定を定期的に実行することのためである、付記２１に記載の装置。
付記３６
前記レシーバは、さらに、サービングノードからそれぞれの近隣ノードについての複数のスクランブリングコードを受信することのためである、付記３５に記載の装置。
付記３７
前記レシーバは、さらに、前記スクランブリングコードを使用して送信する非サービングの好ましいノードから前記スクランブリングコードを受信することのためである、付記３５に記載の装置。
付記３８
前記コンピューティングプラットフォームは、さらに、前記好ましいノードにキャンプすることに応じて近隣ノードについての前記測定よりも前記ゆっくりした反復レートで前記好ましいノードについての測定を定期的に実行することを中断することのためである、付記２１に記載の装置。
付記３９
好ましいノードの信頼できる、そしてパワー効率の良い発見を容易にするための方法であって、
以下の動作：
無線データパケット通信を送信することと、受信することとにより、モバイルデバイスをサービングノードとしてサーブすることと、
前記モバイルデバイスに対して前記好ましいノードによって使用されるスクランブリングコードをブロードキャストすることにより、好ましいノードの前記モバイルデバイスによる発見を容易にすることと、
をインプリメントする、コンピュータ可読記憶媒体上に記憶されるコンピュータ実行可能命令を実行するプロセッサを使用すること、
を備え、前記モバイルデバイスは、前記しきい値より上にある前記信号品質に応じて近隣ノードについての前記測定よりもゆっくりした反復レートで好ましいノードについての測定を定期的に実行する、方法。
付記４０
カバレージエリア内のノードについての近隣リストを保持することと、ここにおいて、前記好ましいノードは、前記ノードのうちの１つである；
前記カバレージエリア内の前記ノードについてのスクランブリングコードをブロードキャストすることと；
をさらに備える付記３９に記載の方法。
付記４１
前記モバイルデバイスによる発見を容易にするための前記好ましいノードによる前記スクランブリングコードをブロードキャストすること、をさらに備える付記３９に記載の方法。
付記４２
前記サービングノードと近隣ノードとからの送信のための同期化および測定を実行するために、そして前記しきい値より上にある前記信号品質に応じて近隣ノードについての前記測定よりもゆっくりした反復レートで前記好ましいノードについての測定を定期的に実行するために、不連続受信（ＤＲＸ）サイクルにわたってサーブされたモバイルデバイスをスケジュールすること、をさらに備える付記３９に記載の方法。
付記４３
前記モバイルデバイスが、前記のよりゆっくりした反復レートで前記好ましいノードについての測定を選択的に実行することを可能にする、ロケーションに関連した情報を送信すること、をさらに備える付記３９に記載の方法。
付記４４
好ましいノードの信頼できる、そしてパワー効率の良い発見を容易にするためのコンピュータプログラムプロダクトであって、
少なくとも１つのプロセッサと、
前記少なくとも１つのプロセッサによって実行されるときに、
コンピュータに、無線データパケット通信を送信することと、受信することとによりモバイルデバイスをサービングノードとしてサーブするようにさせるための第１の組の命令と、
前記コンピュータに、前記モバイルデバイスに対して前記好ましいノードによって使用されるスクランブリングコードをブロードキャストすることにより好ましいノードの前記モバイルデバイスによる発見を容易にするようにさせるための第２の組の命令と、
を備えるコンポーネントをインプリメントするコンピュータ実行可能命令を記憶する少なくとも１つのコンピュータ可読記憶媒体と、
を備え、前記モバイルデバイスは、前記しきい値より上にある前記信号品質に応じて近隣ノードについての前記測定よりもゆっくりした反復レートで好ましいノードについての測定を定期的に実行する、コンピュータプログラムプロダクト。
付記４５
好ましいノードの信頼できる、そしてパワー効率の良い発見を容易にするための装置であって、
少なくとも１つのプロセッサによって実行されるときに、
無線データパケット通信を送信することと、受信することとによりモバイルデバイスをサービングノードとしてサーブするための手段と、
前記モバイルデバイスに対して前記好ましいノードによって使用されるスクランブリングコードをブロードキャストすることにより好ましいノードの前記モバイルデバイスによる発見を容易にするための手段と、
を備えるコンポーネントをインプリメントするコンピュータ実行可能命令を記憶する少なくとも１つのコンピュータ可読記憶媒体と、
を備え、前記モバイルデバイスは、前記しきい値より上にある前記信号品質に応じて近隣ノードについての前記測定よりもゆっくりした反復レートで好ましいノードについての測定を定期的に実行する、装置。
付記４６
好ましいノードの信頼できる、そしてパワー効率の良い発見を容易にするための装置であって、
サービングノードとしてモバイルデバイスから無線データパケット通信サービスを受信するためのレシーバと、
好ましいノードによって使用されるスクランブリングコードにアクセスするためのコンピューティングプラットフォームと、
好ましいノードの前記モバイルデバイスによる発見を容易にする前記スクランブリングコードを前記モバイルデバイスに対してブロードキャストするためのトランスミッタと、
を備え、前記モバイルデバイスは、前記しきい値より上にある前記信号品質に応じて近隣ノードについての前記測定よりもゆっくりした反復レートで好ましいノードについての測定を定期的に実行する、装置。
付記４７
前記コンピューティングプラットフォームは、さらに、カバレージエリア内のノードについての近隣リストを保持することのためであり、前記好ましいノードは、前記ノードのうちの１つであり、そして
前記トランスミッタは、さらに、前記カバレージエリア内の前記ノードについてのスクランブリングコードをブロードキャストすることのためである、付記４６に記載の装置。
付記４８
前記トランスミッタは、さらに、前記モバイルデバイスによる発見を容易にするための、前記好ましいノードによる前記スクランブリングコードをブロードキャストすることのためである、付記４６に記載の装置。
付記４９
前記コンピューティングプラットフォームは、さらに、前記サービングノードと近隣ノードとからの送信のための同期化および測定を実行するために、そして前記しきい値より上にある前記信号品質に応じて近隣ノードについての前記測定よりもゆっくりした反復レートで前記好ましいノードについての測定を定期的に実行するために、不連続受信（ＤＲＸ）サイクルにわたってサーブされたモバイルデバイスをスケジュールすることのためである、付記４６に記載の装置。
付記５０
前記トランスミッタは、さらに、前記モバイルデバイスが、前記のよりゆっくりした反復レートで前記好ましいノードについての測定を選択的に実行することを可能にする、ロケーションに関連した情報を送信することのためである、付記４６に記載の装置。
【図１】
0005479475.tif 000002
【図２Ａ】
0005479475.tif 000003
【図２Ｂ】
0005479475.tif 000004
【図３】
0005479475.tif 000005
【図４】
0005479475.tif 000006
【図５】
0005479475.tif 000007
【図６】
0005479475.tif 000008
【図７】
0005479475.tif 000009
【図８】
0005479475.tif 000010
【図９】
0005479475.tif 000011
【図１０】
0005479475.tif 000012
【図１１】
0005479475.tif 000013
【図１２】
0005479475.tif 000014
【図１３】
0005479475.tif 000015
【図１４】
0005479475.tif 000016